(57)【要約】【課題】本発明は荷下ろしに便利なコンテナを開示した。    【解決手段】箱主体を含み、前記箱主体の中には貨物を置くことができる貨物チャンバが設置され、前記貨物チャンバの右端には前記貨物チャンバに連通している弧状チャンバが設置され、前記弧状チャンバの中には回転できる上ドアが設置され、前記弧状チャンバには回転できる下ドアが設置され、本発明は構成が簡単で、操作が便利で、メインテナンスが便利で、該設備が貨物を自動的にコンテナの右端まで輸送し、人が運ぶ必要がなく、労働の強度を下げ、且つ貨物の積み下ろしの効率を上げ、そのため、該設備は比較的に高い使用価値と普及価値を有する。【選択図】図１
2020183278.tif 000002
【特許請求の範囲】
【請求項１】
正面視で、箱主体を含み、前記箱主体の中には貨物を置くことができる貨物チャンバが設置され、前記貨物チャンバの右端には前記貨物チャンバに連通している弧状チャンバが設置され、前記弧状チャンバの中には回転できる上ドアが設置され、前記弧状チャンバには回転できる下ドアが設置され、前記下ドアと前記上ドアとがベルトにより動力を伝送し、前記下ドアと前記上ドアとが接触することにより貨物チャンバを閉鎖でき、前記貨物チャンバの底壁の中には作動チャンバが設置され、前記作動チャンバの中には貨物が前記貨物チャンバの中でスライドすることに便利を与える百組の転が設置され、前記転の後端には前記貨物チャンバの中に位置している貨物ローラーが設置され、前記転の前端には従動ギヤが設置され、前記作動チャンバの中には前記従動ギヤに動力を伝送する伝動装置が設置され、これにより従動ギヤが転により貨物ローラーを連動させて回転させ、貨物を前記貨物チャンバの一番右側まで送り、前記作動チャンバの右壁の中には動力チャンバが設置され、前記動力チャンバの右壁の中には往復チャンバが設置され、前記往復チャンバの右壁の中には上下対称的な液圧チャンバが設置され、前記液圧チャンバの右壁の中には油圧シリンダーが設置され、前記油圧シリンダーには前記下ドアを回転させることができるドア開け装置が設置され、前記動力チャンバの中には前記ドア開け装置と前記伝動装置とに動力を提供する動力装置が設置され、前記動力チャンバの底壁の中には電磁溝が設置され、前記電磁溝の中には前記動力装置の動力の出力位置を制御する調節制御装置が設置されていることを特徴とする荷下ろしに便利なコンテナ。
【請求項２】
前記動力装置は前記動力チャンバの中にスライドできるように設置されたスライダを含み、前記スライダの中には動力を生じるモータが固定的に設置され、前記動力チャンバの中には前記モータと動力が伝達できるように連結された動力軸が設置され、前記動力軸の頂端には動ベベルギヤが設置され、前記調節制御装置は、前記電磁溝の中にスライドできるように設置され、且つ前記スライダと固定的に連結された永久磁石を含み、前記電磁溝の右壁の中には前記永久磁石を制御して左右にスライドさせる電磁石が設置され、前記電磁石と前記永久磁石との間にはばねが弾性を持つように設置されていることを特徴とする請求項１に記載の荷下ろしに便利なコンテナ。
【請求項３】
前記伝動装置は、前記作動チャンバの中に設置され、且つ前記従動ギヤと噛み合っている九十九組の伝動ギヤを含み、前記作動チャンバの中には上軸が設置され、前記上軸の後端には前記伝動ギヤと噛み合っている主動ギヤが設置され、前記上軸の前端には従動プーリが設置され、前記作動チャンバの中には下軸が設置され、前記下軸の後端には主動プーリが設置され、前記主動プーリと前記従動プーリとの間には伝動ベルトが伝動できるように設置され、前記下軸の前端には左ベベルギヤが設置され、前記作動チャンバの中には左軸が設置され、前記左軸の左端には前記左ベベルギヤと噛み合っている従ベベルギヤが設置され、前記左軸の右端には前記動力チャンバの中に位置しており、且つ前記動ベベルギヤと噛み合っている主ベベルギヤが設置されていることを特徴とする請求項１に記載の荷下ろしに便利なコンテナ。
【請求項４】
前記ドア開け装置は前記油圧シリンダーの中にスライドできるように設置されたピストンを含み、前記弧状チャンバの中には弧状スライドできる弧状ブロックが設置され、前記弧状ブロックと前記下ドアとがコンロッドにより連結され、前記弧状ブロックの左端と前記ピストンの左端とが左ひもにより連結され、前記ピストンの右側と前記弧状ブロックの右側とが右ひもにより連結され、下側の前記液圧チャンバと前記油圧シリンダーの左側とが下管路により連通され、上側の前記液圧チャンバと前記油圧シリンダーの右側とが上管路により連通され、前記液圧チャンバの中には機能が同じで、構成が類似している構成が設置され、ここは下側の前記液圧チャンバを例として詳しく説明し、前記液圧チャンバの中には作動油が設置され、前記液圧チャンバの中には左右にスライドできるポンプ板が設置され、更に作動油を油圧シリンダーの中に送り込み、更に前記ピストンと前記左ひも（右ひも）とにより前記弧状ブロックを連動させて左右にスライドさせ、更に前記下ドアを連動させて回転させ、前記往復チャンバの中には左右にスライドできるラックが設置され、前記ラックの右側が前記液圧チャンバの中に伸びており、且つ前記液圧チャンバと固定的に連結され、前記往復チャンバの中には往復軸が設置され、前記往復軸の後端には前記ラックと噛み合っている往復ギヤが設置され、前記往復軸の前端には副ベベルギヤが設置され、前記往復チャンバの中には右軸が設置され、前記右軸の右端には前記右ベベルギヤと噛み合っている副ベベルギヤが設置され、前記右軸の左端には前記動力チャンバの中に位置しており、且つ前記動ベベルギヤと噛み合うことができる正ベベルギヤが設置されていることを特徴とする請求項１に記載の荷下ろしに便利なコンテナ。
【発明の詳細な説明】
【技術分野】
【０００１】
本発明はコンテナ分野を取り上げて、具体的には荷下ろしに便利なコンテナである。
【背景技術】
【０００２】
コンテナは大量の貨物を積むことができ、しかも機械設備で積み下ろしに便利を与えるため、貨物を運ぶことに主なキャリヤーであり、しかし、貨物を下ろす時、たくさんの作業員が貨物をコンテナの内部まで運び、しかもコンテナの構成の奥行きが深いため、体積が大きい又は重量が大きい貨物を運びにくく、荷下ろしの効率に強く影響し、そのため、本発明は積み下ろしの効率を上げられるコンテナを設計することを目的とする。
【先行技術文献】
【特許文献】
【０００３】
【特許文献１】中国特許出願公開第１０５６５６４０８号明細書
【発明の概要】
【発明が解決しようとする課題】
【０００４】
本発明は荷下ろしに便利なコンテナを提供し、従来技術における上記欠点を解消することを目的とする。
【課題を解決するための手段】
【０００５】
本発明の荷下ろしに便利なコンテナは、箱主体を含み、前記箱主体の中には貨物を置くことができる貨物チャンバが設置され、前記貨物チャンバの右端には前記貨物チャンバに連通している弧状チャンバが設置され、前記弧状チャンバの中には回転できる上ドアが設置され、前記弧状チャンバには回転できる下ドアが設置され、前記下ドアと前記上ドアとがベルトにより動力を伝送し、前記下ドアと前記上ドアとが接触することにより貨物チャンバを閉鎖でき、前記貨物チャンバの底壁の中には作動チャンバが設置され、前記作動チャンバの中には貨物が前記貨物チャンバの中でスライドすることに便利を与える百組の転が設置され、前記転の後端には前記貨物チャンバの中に位置している貨物ローラーが設置され、前記転の前端には従動ギヤが設置され、前記作動チャンバの中には前記従動ギヤに動力を伝送する伝動装置が設置され、これにより従動ギヤが転により貨物ローラーを連動させて回転させ、貨物を前記貨物チャンバの一番右側まで送り、前記作動チャンバの右壁の中には動力チャンバが設置され、前記動力チャンバの右壁の中には往復チャンバが設置され、前記往復チャンバの右壁の中には上下対称的な液圧チャンバが設置され、前記液圧チャンバの右壁の中には油圧シリンダーが設置され、前記油圧シリンダーには前記下ドアを回転させることができるドア開け装置が設置され、前記動力チャンバの中には前記ドア開け装置と前記伝動装置とに動力を提供する動力装置が設置され、前記動力チャンバの底壁の中には電磁溝が設置され、前記電磁溝の中には前記動力装置の動力の出力位置を制御する調節制御装置が設置され、前記調節制御装置が前記動力装置を制御して左右にスライドさせることができ、更に前記動力装置の動力の出力位置を変え、更にそれぞれ前記ドア開け装置により前記下ドアを連動させて回転させ、前記伝動装置と、前記従動ギヤと、前記転とにより前記貨物ローラーを連動させて回転させ、貨物を前記貨物チャンバの右側まで送り、作業員の荷下ろしに便利を与える。
【０００６】
好ましくは、前記動力装置は前記動力チャンバの中にスライドできるように設置されたスライダを含み、前記スライダの中には動力を生じるモータが固定的に設置され、前記動力チャンバの中には前記モータと動力が伝達できるように連結された動力軸が設置され、前記動力軸の頂端には動ベベルギヤが設置され、前記調節制御装置は、前記電磁溝の中にスライドできるように設置され、且つ前記スライダと固定的に連結された永久磁石を含み、前記電磁溝の右壁の中には前記永久磁石を制御して左右にスライドさせる電磁石が設置され、前記電磁石と前記永久磁石との間にはばねが弾性を持つように設置され、前記調節制御装置は前記動力装置の位置状態を変えることができ、更に動力の出力方向を制御できる。
【０００７】
好ましくは、前記伝動装置は、前記作動チャンバの中に設置され、且つ前記従動ギヤと噛み合っている九十九組の伝動ギヤを含み、前記作動チャンバの中には上軸が設置され、前記上軸の後端には前記伝動ギヤと噛み合っている主動ギヤが設置され、前記上軸の前端には従動プーリが設置され、前記作動チャンバの中には下軸が設置され、前記下軸の後端には主動プーリが設置され、前記主動プーリと前記従動プーリとの間には伝動ベルトが伝動できるように設置され、前記下軸の前端には左ベベルギヤが設置され、前記作動チャンバの中には左軸が設置され、前記左軸の左端には前記左ベベルギヤと噛み合っている従ベベルギヤが設置され、前記左軸の右端には前記動力チャンバの中に位置しており、且つ前記動ベベルギヤと噛み合っている主ベベルギヤが設置され、前記伝動装置は前記動力装置が生じた動力を前記従動ギヤに伝送でき、貨物を前記貨物チャンバの右側まで輸送することに便利を与える。
【０００８】
好ましくは、前記ドア開け装置は前記油圧シリンダーの中にスライドできるように設置されたピストンを含み、前記弧状チャンバの中には弧状スライドできる弧状ブロックが設置され、前記弧状ブロックと前記下ドアとがコンロッドにより連結され、前記弧状ブロックの左端と前記ピストンの左端とが左ひもにより連結され、前記ピストンの右側と前記弧状ブロックの右側とが右ひもにより連結され、下側の前記液圧チャンバと前記油圧シリンダーの左側とが下管路により連通され、上側の前記液圧チャンバと前記油圧シリンダーの右側とが上管路により連通され、前記液圧チャンバの中には機能が同じで、構成が類似している構成が設置され、ここは下側の前記液圧チャンバを例として詳しく説明し、前記液圧チャンバの中には作動油が設置され、前記液圧チャンバの中には左右にスライドできるポンプ板が設置され、更に作動油を油圧シリンダーの中に送り込み、更に前記ピストンと前記左ひも（右ひも）とにより前記弧状ブロックを連動させて左右にスライドさせ、更に前記下ドアを連動させて回転させ、前記往復チャンバの中には左右にスライドできるラックが設置され、前記ラックの右側が前記液圧チャンバの中に伸びており、且つ前記液圧チャンバと固定的に連結され、前記往復チャンバの中には往復軸が設置され、前記往復軸の後端には前記ラックと噛み合っている往復ギヤが設置され、前記往復軸の前端には副ベベルギヤが設置され、前記往復チャンバの中には右軸が設置され、前記右軸の右端には前記右ベベルギヤと噛み合っている副ベベルギヤが設置され、前記右軸の左端には前記動力チャンバの中に位置しており、且つ前記動ベベルギヤと噛み合うことができる正ベベルギヤが設置され、前記ドア開け装置は前記貨物チャンバを開ける又は閉じることができる。
【発明の効果】
【０００９】
本発明の有益効果は：本発明は構成が簡単で、操作が便利で、メインテナンスが便利で、該設備が貨物を自動的にコンテナの右端まで輸送し、人が運ぶ必要がなく、労働の強度を下げ、且つ貨物の積み下ろしの効率を上げ、そのため、該設備は比較的に高い使用価値と普及価値を有する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の荷下ろしに便利なコンテナの閉じられた状態の全体構成模式図
【図２】図２は本発明の荷下ろしに便利なコンテナの開けられた状態の全体構成模式図
【図３】図３は図１のＡの構成模式図
【図４】図４は図３のＢの構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４に示すように、本発明の荷下ろしに便利なコンテナは、箱主体１１を含み、前記箱主体１１の中には貨物を置くことができる貨物チャンバ１３が設置され、前記貨物チャンバ１３の右端には前記貨物チャンバ１３に連通している弧状チャンバ４９が設置され、前記弧状チャンバ４９の中には回転できる上ドア１４が設置され、前記弧状チャンバ４９には回転できる下ドア１５が設置され、前記下ドア１５と前記上ドア１４とがベルトにより動力を伝送し、前記下ドア１５と前記上ドア１４とが接触することにより貨物チャンバ１３を閉鎖でき、前記貨物チャンバ１３の底壁の中には作動チャンバ２４が設置され、前記作動チャンバ２４の中には貨物が前記貨物チャンバ１３の中でスライドすることに便利を与える百組の転１８が設置され、前記転１８の後端には前記貨物チャンバ１３の中に位置している貨物ローラー１６が設置され、前記転１８の前端には従動ギヤ１７が設置され、前記作動チャンバ２４の中には前記従動ギヤ１７に動力を伝送する伝動装置１００が設置され、これにより従動ギヤ１７が転１８により貨物ローラー１６を連動させて回転させ、貨物を前記貨物チャンバ１３の一番右側まで送り、前記作動チャンバ２４の右壁の中には動力チャンバ３６が設置され、前記動力チャンバ３６の右壁の中には往復チャンバ４２が設置され、前記往復チャンバ４２の右壁の中には上下対称的な液圧チャンバ４７が設置され、前記液圧チャンバ４７の右壁の中には油圧シリンダー５２が設置され、前記油圧シリンダー５２には前記下ドア１５を回転させることができるドア開け装置２００が設置され、前記動力チャンバ３６の中には前記ドア開け装置２００と前記伝動装置１００とに動力を提供する動力装置３００が設置され、前記動力チャンバ３６の底壁の中には電磁溝３７が設置され、前記電磁溝３７の中には前記動力装置３００の動力の出力位置を制御する調節制御装置４００が設置され、前記調節制御装置４００が前記動力装置３００を制御して左右にスライドさせることができ、更に前記動力装置３００の動力の出力位置を変え、更にそれぞれ前記ドア開け装置２００により前記下ドア１５を連動させて回転させ、前記伝動装置１００と、前記従動ギヤ１７と、前記転１８とにより前記貨物ローラー１６を連動させて回転させ、貨物を前記貨物チャンバ１３の右側まで送り、作業員の荷下ろしに便利を与える。    
【００１４】
有益的には、前記動力装置３００は前記動力チャンバ３６の中にスライドできるように設置されたスライダ３４を含み、前記スライダ３４の中には動力を生じるモータ３３が固定的に設置され、前記動力チャンバ３６の中には前記モータ３３と動力が伝達できるように連結された動力軸３２が設置され、前記動力軸３２の頂端には動ベベルギヤ３１が設置され、前記調節制御装置４００は、前記電磁溝３７の中にスライドできるように設置され、且つ前記スライダ３４と固定的に連結された永久磁石３５を含み、前記電磁溝３７の右壁の中には前記永久磁石３５を制御して左右にスライドさせる電磁石３９が設置され、前記電磁石３９と前記永久磁石３５との間にはばね３８が弾性を持つように設置され、前記調節制御装置４００は前記動力装置３００の位置状態を変えることができ、更に動力の出力方向を制御できる。
【００１５】
有益的には、前記伝動装置１００は、前記作動チャンバ２４の中に設置され、且つ前記従動ギヤ１７と噛み合っている九十九組の伝動ギヤ１９を含み、前記作動チャンバ２４の中には上軸２１が設置され、前記上軸２１の後端には前記伝動ギヤ１９と噛み合っている主動ギヤ２０が設置され、前記上軸２１の前端には従動プーリ２２が設置され、前記作動チャンバ２４の中には下軸２７が設置され、前記下軸２７の後端には主動プーリ２５が設置され、前記主動プーリ２５と前記従動プーリ２２との間には伝動ベルト２３が伝動できるように設置され、前記下軸２７の前端には左ベベルギヤ２６が設置され、前記作動チャンバ２４の中には左軸２９が設置され、前記左軸２９の左端には前記左ベベルギヤ２６と噛み合っている従ベベルギヤ２８が設置され、前記左軸２９の右端には前記動力チャンバ３６の中に位置しており、且つ前記動ベベルギヤ３１と噛み合っている主ベベルギヤ３０が設置され、前記伝動装置１００は前記動力装置３００が生じた動力を前記従動ギヤ１７に伝送でき、貨物を前記貨物チャンバ１３の右側まで輸送することに便利を与える。
【００１６】
有益的には、前記ドア開け装置２００は前記油圧シリンダー５２の中にスライドできるように設置されたピストン５５を含み、前記弧状チャンバ４９の中には弧状スライドできる弧状ブロック５８が設置され、前記弧状ブロック５８と前記下ドア１５とがコンロッド５７により連結され、前記弧状ブロック５８の左端と前記ピストン５５の左端とが左ひも５４により連結され、前記ピストン５５の右側と前記弧状ブロック５８の右側とが右ひも５６により連結され、下側の前記液圧チャンバ４７と前記油圧シリンダー５２の左側とが下管路５１により連通され、上側の前記液圧チャンバ４７と前記油圧シリンダー５２の右側とが上管路５３により連通され、前記液圧チャンバ４７の中には機能が同じで、構成が類似している構成が設置され、ここは下側の前記液圧チャンバ４７を例として詳しく説明し、前記液圧チャンバ４７の中には作動油が設置され、前記液圧チャンバ４７の中には左右にスライドできるポンプ板５０が設置され、更に作動油を油圧シリンダー５２の中に送り込み、更に前記ピストン５５と前記左ひも５４（右ひも５６）とにより前記弧状ブロック５８を連動させて左右にスライドさせ、更に前記下ドア１５を連動させて回転させ、前記往復チャンバ４２の中には左右にスライドできるラック４８が設置され、前記ラック４８の右側が前記液圧チャンバ４７の中に伸びており、且つ前記液圧チャンバ４７と固定的に連結され、前記往復チャンバ４２の中には往復軸４５が設置され、前記往復軸４５の後端には前記ラック４８と噛み合っている往復ギヤ４６が設置され、前記往復軸４５の前端には副ベベルギヤ４３が設置され、前記往復チャンバ４２の中には右軸４１が設置され、前記右軸４１の右端には前記右ベベルギヤ４４と噛み合っている副ベベルギヤ４３が設置され、前記右軸４１の左端には前記動力チャンバ３６の中に位置しており、且つ前記動ベベルギヤ３１と噛み合うことができる正ベベルギヤ４０が設置され、前記ドア開け装置２００は前記貨物チャンバ１３を開ける又は閉じることができる。
【００１７】
該設備を使用する時、電磁石３９が通電し、また永久磁石３５と、スライダ３４とによりモータ３３を連動させて右側へスライドさせ、同時に、モータ３３が順方向（逆方向）へ作動して且つ動力軸３２により動ベベルギヤ３１を連動させて回転させ、動ベベルギヤ３１が正ベベルギヤ４０と、右軸４１と、副ベベルギヤ４３と、右ベベルギヤ４４と、往復軸４５と、往復ギヤ４６と、下側（上側）のラック４８とによりポンプ板５０を連動させて左方へスライドさせ、下側（上側）の作動油が下管路５１（上管路５３）により前記油圧シリンダー５２の中に入り、更にピストン５５が左方（右方）へスライドし、更に左ひも５４（右ひも５６）と、弧状ブロック５８と、コンロッド５７とにより下ドア１５を連動させて回転させ、該コンテナを開ける又は閉じる。
【００１８】
貨物を下ろす時、モータ３３が作動して且つ動力軸３２と、動ベベルギヤ３１と、主ベベルギヤ３０と、左軸２９と、従ベベルギヤ２８と、左ベベルギヤ２６と、下軸２７と、主動プーリ２５と、従動プーリ２２と、上軸２１と、主動ギヤ２０と、伝動ギヤ１９と、従動ギヤ１７と、転１８とにより貨物ローラー１６を連動させて回転させ、貨物チャンバ１３の中の貨物を貨物チャンバ１３の一番右側まで送り、作業員の荷下ろしに便利を与える。
【００１９】
本発明の有益効果は：本発明は構成が簡単で、操作が便利で、メインテナンスが便利で、該設備が貨物を自動的にコンテナの右端まで輸送し、人が運ぶ必要がなく、労働の強度を下げ、且つ貨物の積み下ろしの効率を上げ、そのため、該設備は比較的に高い使用価値と普及価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020183278.tif 000003
【図２】
2020183278.tif 000004
【図３】
2020183278.tif 000005
【図４】
2020183278.tif 000006
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
正面視で、箱主体を含み、前記箱主体の中には貨物を置くことができる貨物チャンバが設置され、前記貨物チャンバの右端には前記貨物チャンバに連通している弧状チャンバが設置され、前記弧状チャンバの中には回転できる上ドアが設置され、前記弧状チャンバには回転できる下ドアが設置され、前記下ドアと前記上ドアとがベルトにより動力を伝送し、前記下ドアと前記上ドアとが接触することにより貨物チャンバを閉鎖でき、前記貨物チャンバの底壁の中には作動チャンバが設置され、前記作動チャンバの中には貨物が前記貨物チャンバの中でスライドすることに便利を与える百組の転が設置され、前記転の後端には前記貨物チャンバの中に位置している貨物ローラーが設置され、前記転の前端には従動ギヤが設置され、前記作動チャンバの中には前記従動ギヤに動力を伝送する伝動装置が設置され、これにより従動ギヤが転により貨物ローラーを連動させて回転させ、貨物を前記貨物チャンバの一番右側まで送り、前記作動チャンバの右壁の中には動力チャンバが設置され、前記動力チャンバの右壁の中には往復チャンバが設置され、前記往復チャンバの右壁の中には上下対称的な液圧チャンバが設置され、前記液圧チャンバの右壁の中には油圧シリンダーが設置され、前記油圧シリンダーには前記下ドアを回転させることができるドア開け装置が設置され、前記動力チャンバの中には前記ドア開け装置と前記伝動装置とに動力を提供する動力装置が設置され、前記動力チャンバの底壁の中には電磁溝が設置され、前記電磁溝の中には前記動力装置の動力の出力位置を制御する調節制御装置が設置されていることを特徴とする荷下ろしに便利なコンテナ。
【請求項２】
前記動力装置は前記動力チャンバの中にスライドできるように設置されたスライダを含み、前記スライダの中には動力を生じるモータが固定的に設置され、前記動力チャンバの中には前記モータと動力が伝達できるように連結された動力軸が設置され、前記動力軸の頂端には動ベベルギヤが設置され、前記調節制御装置は、前記電磁溝の中にスライドできるように設置され、且つ前記スライダと固定的に連結された永久磁石を含み、前記電磁溝の右壁の中には前記永久磁石を制御して左右にスライドさせる電磁石が設置され、前記電磁石と前記永久磁石との間にはばねが弾性を持つように設置されていることを特徴とする請求項１に記載の荷下ろしに便利なコンテナ。
【請求項３】
前記伝動装置は、前記作動チャンバの中に設置され、且つ前記従動ギヤと噛み合っている九十九組の伝動ギヤを含み、前記作動チャンバの中には上軸が設置され、前記上軸の後端には前記伝動ギヤと噛み合っている主動ギヤが設置され、前記上軸の前端には従動プーリが設置され、前記作動チャンバの中には下軸が設置され、前記下軸の後端には主動プーリが設置され、前記主動プーリと前記従動プーリとの間には伝動ベルトが伝動できるように設置され、前記下軸の前端には左ベベルギヤが設置され、前記作動チャンバの中には左軸が設置され、前記左軸の左端には前記左ベベルギヤと噛み合っている従ベベルギヤが設置され、前記左軸の右端には前記動力チャンバの中に位置しており、且つ前記動ベベルギヤと噛み合っている主ベベルギヤが設置されていることを特徴とする請求項２に記載の荷下ろしに便利なコンテナ。
【請求項４】
前記ドア開け装置は前記油圧シリンダーの中にスライドできるように設置されたピストンを含み、前記弧状チャンバの中には弧状スライドできる弧状ブロックが設置され、前記弧状ブロックと前記下ドアとがコンロッドにより連結され、前記弧状ブロックの左端と前記ピストンの左端とが左ひもにより連結され、前記ピストンの右側と前記弧状ブロックの右側とが右ひもにより連結され、下側の前記液圧チャンバと前記油圧シリンダーの左側とが下管路により連通され、上側の前記液圧チャンバと前記油圧シリンダーの右側とが上管路により連通され、前記液圧チャンバの中には作動油が設置され、前記液圧チャンバの中には左右にスライドできるポンプ板が設置され、更に作動油を油圧シリンダーの中に送り込み、更に前記ピストンと前記左ひも（右ひも）とにより前記弧状ブロックを連動させて左右にスライドさせ、更に前記下ドアを連動させて回転させ、前記往復チャンバの中には左右にスライドできるラックが設置され、前記ラックの右側が前記液圧チャンバの中に伸びており、且つ前記液圧チャンバと固定的に連結され、前記往復チャンバの中には往復軸が設置され、前記往復軸の後端には前記ラックと噛み合っている往復ギヤが設置され、前記往復軸の前端には副ベベルギヤが設置され、前記往復チャンバの中には右軸が設置され、前記右軸の右端には右ベベルギヤと噛み合っている副ベベルギヤが設置され、前記右軸の左端には前記動力チャンバの中に位置しており、且つ前記動ベベルギヤと噛み合うことができる正ベベルギヤが設置されていることを特徴とする請求項１に記載の荷下ろしに便利なコンテナ。
【手続補正２】
【補正対象書類名】明細書
【補正対象項目名】全文
【補正方法】変更
【補正の内容】
【発明の詳細な説明】
【技術分野】
【０００１】
本発明はコンテナ分野を取り上げて、具体的には荷下ろしに便利なコンテナである。
【背景技術】
【０００２】
コンテナは大量の貨物を積むことができ、しかも機械設備で積み下ろしに便利を与えるため、貨物を運ぶことに主なキャリヤーであり、しかし、貨物を下ろす時、たくさんの作業員が貨物をコンテナの内部まで運び、しかもコンテナの構成の奥行きが深いため、体積が大きい又は重量が大きい貨物を運びにくく、荷下ろしの効率に強く影響し、そのため、本発明は積み下ろしの効率を上げられるコンテナを設計することを目的とする。
【先行技術文献】
【特許文献】
【０００３】
【特許文献１】中国特許出願公開第１０５６５６４０８号明細書
【発明の概要】
【発明が解決しようとする課題】
【０００４】
本発明は荷下ろしに便利なコンテナを提供し、従来技術における上記欠点を解消することを目的とする。
【課題を解決するための手段】
【０００５】
本発明の荷下ろしに便利なコンテナは、箱主体を含み、前記箱主体の中には貨物を置くことができる貨物チャンバが設置され、前記貨物チャンバの右端には前記貨物チャンバに連通している弧状チャンバが設置され、前記弧状チャンバの中には回転できる上ドアが設置され、前記弧状チャンバには回転できる下ドアが設置され、前記下ドアと前記上ドアとがベルトにより動力を伝送し、前記下ドアと前記上ドアとが接触することにより貨物チャンバを閉鎖でき、前記貨物チャンバの底壁の中には作動チャンバが設置され、前記作動チャンバの中には貨物が前記貨物チャンバの中でスライドすることに便利を与える百組の転が設置され、前記転の後端には前記貨物チャンバの中に位置している貨物ローラーが設置され、前記転の前端には従動ギヤが設置され、前記作動チャンバの中には前記従動ギヤに動力を伝送する伝動装置が設置され、これにより従動ギヤが転により貨物ローラーを連動させて回転させ、貨物を前記貨物チャンバの一番右側まで送り、前記作動チャンバの右壁の中には動力チャンバが設置され、前記動力チャンバの右壁の中には往復チャンバが設置され、前記往復チャンバの右壁の中には上下対称的な液圧チャンバが設置され、前記液圧チャンバの右壁の中には油圧シリンダーが設置され、前記油圧シリンダーには前記下ドアを回転させることができるドア開け装置が設置され、前記動力チャンバの中には前記ドア開け装置と前記伝動装置とに動力を提供する動力装置が設置され、前記動力チャンバの底壁の中には電磁溝が設置され、前記電磁溝の中には前記動力装置の動力の出力位置を制御する調節制御装置が設置され、前記調節制御装置が前記動力装置を制御して左右にスライドさせることができ、更に前記動力装置の動力の出力位置を変え、更にそれぞれ前記ドア開け装置により前記下ドアを連動させて回転させ、前記伝動装置と、前記従動ギヤと、前記転とにより前記貨物ローラーを連動させて回転させ、貨物を前記貨物チャンバの右側まで送り、作業員の荷下ろしに便利を与える。
【０００６】
好ましくは、前記動力装置は前記動力チャンバの中にスライドできるように設置されたスライダを含み、前記スライダの中には動力を生じるモータが固定的に設置され、前記動力チャンバの中には前記モータと動力が伝達できるように連結された動力軸が設置され、前記動力軸の頂端には動ベベルギヤが設置され、前記調節制御装置は、前記電磁溝の中にスライドできるように設置され、且つ前記スライダと固定的に連結された永久磁石を含み、前記電磁溝の右壁の中には前記永久磁石を制御して左右にスライドさせる電磁石が設置され、前記電磁石と前記永久磁石との間にはばねが弾性を持つように設置され、前記調節制御装置は前記動力装置の位置状態を変えることができ、更に動力の出力方向を制御できる。
【０００７】
好ましくは、前記伝動装置は、前記作動チャンバの中に設置され、且つ前記従動ギヤと噛み合っている九十九組の伝動ギヤを含み、前記作動チャンバの中には上軸が設置され、前記上軸の後端には前記伝動ギヤと噛み合っている主動ギヤが設置され、前記上軸の前端には従動プーリが設置され、前記作動チャンバの中には下軸が設置され、前記下軸の後端には主動プーリが設置され、前記主動プーリと前記従動プーリとの間には伝動ベルトが伝動できるように設置され、前記下軸の前端には左ベベルギヤが設置され、前記作動チャンバの中には左軸が設置され、前記左軸の左端には前記左ベベルギヤと噛み合っている従ベベルギヤが設置され、前記左軸の右端には前記動力チャンバの中に位置しており、且つ前記動ベベルギヤと噛み合っている主ベベルギヤが設置され、前記伝動装置は前記動力装置が生じた動力を前記従動ギヤに伝送でき、貨物を前記貨物チャンバの右側まで輸送することに便利を与える。
【０００８】
好ましくは、前記ドア開け装置は前記油圧シリンダーの中にスライドできるように設置されたピストンを含み、前記弧状チャンバの中には弧状スライドできる弧状ブロックが設置され、前記弧状ブロックと前記下ドアとがコンロッドにより連結され、前記弧状ブロックの左端と前記ピストンの左端とが左ひもにより連結され、前記ピストンの右側と前記弧状ブロックの右側とが右ひもにより連結され、下側の前記液圧チャンバと前記油圧シリンダーの左側とが下管路により連通され、上側の前記液圧チャンバと前記油圧シリンダーの右側とが上管路により連通され、前記液圧チャンバの中には作動油が設置され、前記液圧チャンバの中には左右にスライドできるポンプ板が設置され、更に作動油を油圧シリンダーの中に送り込み、更に前記ピストンと前記左ひも（右ひも）とにより前記弧状ブロックを連動させて左右にスライドさせ、更に前記下ドアを連動させて回転させ、前記往復チャンバの中には左右にスライドできるラックが設置され、前記ラックの右側が前記液圧チャンバの中に伸びており、且つ前記液圧チャンバと固定的に連結され、前記往復チャンバの中には往復軸が設置され、前記往復軸の後端には前記ラックと噛み合っている往復ギヤが設置され、前記往復軸の前端には副ベベルギヤが設置され、前記往復チャンバの中には右軸が設置され、前記右軸の右端には右ベベルギヤと噛み合っている副ベベルギヤが設置され、前記右軸の左端には前記動力チャンバの中に位置しており、且つ前記動ベベルギヤと噛み合うことができる正ベベルギヤが設置され、前記ドア開け装置は前記貨物チャンバを開ける又は閉じることができる。
【発明の効果】
【０００９】
本発明の有益効果は：本発明は構成が簡単で、操作が便利で、メインテナンスが便利で、該設備が貨物を自動的にコンテナの右端まで輸送し、人が運ぶ必要がなく、労働の強度を下げ、且つ貨物の積み下ろしの効率を上げ、そのため、該設備は比較的に高い使用価値と普及価値を有する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の荷下ろしに便利なコンテナの閉じられた状態の全体構成模式図
【図２】図２は本発明の荷下ろしに便利なコンテナの開けられた状態の全体構成模式図
【図３】図３は図１のＡの構成模式図
【図４】図４は図３のＢの構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４に示すように、本発明の荷下ろしに便利なコンテナは、箱主体１１を含み、前記箱主体１１の中には貨物を置くことができる貨物チャンバ１３が設置され、前記貨物チャンバ１３の右端には前記貨物チャンバ１３に連通している弧状チャンバ４９が設置され、前記弧状チャンバ４９の中には回転できる上ドア１４が設置され、前記弧状チャンバ４９には回転できる下ドア１５が設置され、前記下ドア１５と前記上ドア１４とがベルトにより動力を伝送し、前記下ドア１５と前記上ドア１４とが接触することにより貨物チャンバ１３を閉鎖でき、前記貨物チャンバ１３の底壁の中には作動チャンバ２４が設置され、前記作動チャンバ２４の中には貨物が前記貨物チャンバ１３の中でスライドすることに便利を与える百組の転１８が設置され、前記転１８の後端には前記貨物チャンバ１３の中に位置している貨物ローラー１６が設置され、前記転１８の前端には従動ギヤ１７が設置され、前記作動チャンバ２４の中には前記従動ギヤ１７に動力を伝送する伝動装置１００が設置され、これにより従動ギヤ１７が転１８により貨物ローラー１６を連動させて回転させ、貨物を前記貨物チャンバ１３の一番右側まで送り、前記作動チャンバ２４の右壁の中には動力チャンバ３６が設置され、前記動力チャンバ３６の右壁の中には往復チャンバ４２が設置され、前記往復チャンバ４２の右壁の中には上下対称的な液圧チャンバ４７が設置され、前記液圧チャンバ４７の右壁の中には油圧シリンダー５２が設置され、前記油圧シリンダー５２には前記下ドア１５を回転させることができるドア開け装置２００が設置され、前記動力チャンバ３６の中には前記ドア開け装置２００と前記伝動装置１００とに動力を提供する動力装置３００が設置され、前記動力チャンバ３６の底壁の中には電磁溝３７が設置され、前記電磁溝３７の中には前記動力装置３００の動力の出力位置を制御する調節制御装置４００が設置され、前記調節制御装置４００が前記動力装置３００を制御して左右にスライドさせることができ、更に前記動力装置３００の動力の出力位置を変え、更にそれぞれ前記ドア開け装置２００により前記下ドア１５を連動させて回転させ、前記伝動装置１００と、前記従動ギヤ１７と、前記転１８とにより前記貨物ローラー１６を連動させて回転させ、貨物を前記貨物チャンバ１３の右側まで送り、作業員の荷下ろしに便利を与える。    
【００１４】
有益的には、前記動力装置３００は前記動力チャンバ３６の中にスライドできるように設置されたスライダ３４を含み、前記スライダ３４の中には動力を生じるモータ３３が固定的に設置され、前記動力チャンバ３６の中には前記モータ３３と動力が伝達できるように連結された動力軸３２が設置され、前記動力軸３２の頂端には動ベベルギヤ３１が設置され、前記調節制御装置４００は、前記電磁溝３７の中にスライドできるように設置され、且つ前記スライダ３４と固定的に連結された永久磁石３５を含み、前記電磁溝３７の右壁の中には前記永久磁石３５を制御して左右にスライドさせる電磁石３９が設置され、前記電磁石３９と前記永久磁石３５との間にはばね３８が弾性を持つように設置され、前記調節制御装置４００は前記動力装置３００の位置状態を変えることができ、更に動力の出力方向を制御できる。
【００１５】
有益的には、前記伝動装置１００は、前記作動チャンバ２４の中に設置され、且つ前記従動ギヤ１７と噛み合っている九十九組の伝動ギヤ１９を含み、前記作動チャンバ２４の中には上軸２１が設置され、前記上軸２１の後端には前記伝動ギヤ１９と噛み合っている主動ギヤ２０が設置され、前記上軸２１の前端には従動プーリ２２が設置され、前記作動チャンバ２４の中には下軸２７が設置され、前記下軸２７の後端には主動プーリ２５が設置され、前記主動プーリ２５と前記従動プーリ２２との間には伝動ベルト２３が伝動できるように設置され、前記下軸２７の前端には左ベベルギヤ２６が設置され、前記作動チャンバ２４の中には左軸２９が設置され、前記左軸２９の左端には前記左ベベルギヤ２６と噛み合っている従ベベルギヤ２８が設置され、前記左軸２９の右端には前記動力チャンバ３６の中に位置しており、且つ前記動ベベルギヤ３１と噛み合っている主ベベルギヤ３０が設置され、前記伝動装置１００は前記動力装置３００が生じた動力を前記従動ギヤ１７に伝送でき、貨物を前記貨物チャンバ１３の右側まで輸送することに便利を与える。
【００１６】
有益的には、前記ドア開け装置２００は前記油圧シリンダー５２の中にスライドできるように設置されたピストン５５を含み、前記弧状チャンバ４９の中には弧状スライドできる弧状ブロック５８が設置され、前記弧状ブロック５８と前記下ドア１５とがコンロッド５７により連結され、前記弧状ブロック５８の左端と前記ピストン５５の左端とが左ひも５４により連結され、前記ピストン５５の右側と前記弧状ブロック５８の右側とが右ひも５６により連結され、下側の前記液圧チャンバ４７と前記油圧シリンダー５２の左側とが下管路５１により連通され、上側の前記液圧チャンバ４７と前記油圧シリンダー５２の右側とが上管路５３により連通され、前記液圧チャンバ４７の中には作動油が設置され、前記液圧チャンバ４７の中には左右にスライドできるポンプ板５０が設置され、更に作動油を油圧シリンダー５２の中に送り込み、更に前記ピストン５５と前記左ひも５４（右ひも５６）とにより前記弧状ブロック５８を連動させて左右にスライドさせ、更に前記下ドア１５を連動させて回転させ、前記往復チャンバ４２の中には左右にスライドできるラック４８が設置され、前記ラック４８の右側が前記液圧チャンバ４７の中に伸びており、且つ前記液圧チャンバ４７と固定的に連結され、前記往復チャンバ４２の中には往復軸４５が設置され、前記往復軸４５の後端には前記ラック４８と噛み合っている往復ギヤ４６が設置され、前記往復軸４５の前端には副ベベルギヤ４３が設置され、前記往復チャンバ４２の中には右軸４１が設置され、前記右軸４１の右端には右ベベルギヤ４４と噛み合っている副ベベルギヤ４３が設置され、前記右軸４１の左端には前記動力チャンバ３６の中に位置しており、且つ前記動ベベルギヤ３１と噛み合うことができる正ベベルギヤ４０が設置され、前記ドア開け装置２００は前記貨物チャンバ１３を開ける又は閉じることができる。
【００１７】
該設備を使用する時、電磁石３９が通電し、また永久磁石３５と、スライダ３４とによりモータ３３を連動させて右側へスライドさせ、同時に、モータ３３が順方向（逆方向）へ作動して且つ動力軸３２により動ベベルギヤ３１を連動させて回転させ、動ベベルギヤ３１が正ベベルギヤ４０と、右軸４１と、副ベベルギヤ４３と、右ベベルギヤ４４と、往復軸４５と、往復ギヤ４６と、下側（上側）のラック４８とによりポンプ板５０を連動させて左方へスライドさせ、下側（上側）の作動油が下管路５１（上管路５３）により前記油圧シリンダー５２の中に入り、更にピストン５５が左方（右方）へスライドし、更に左ひも５４（右ひも５６）と、弧状ブロック５８と、コンロッド５７とにより下ドア１５を連動させて回転させ、該コンテナを開ける又は閉じる。
【００１８】
貨物を下ろす時、モータ３３が作動して且つ動力軸３２と、動ベベルギヤ３１と、主ベベルギヤ３０と、左軸２９と、従ベベルギヤ２８と、左ベベルギヤ２６と、下軸２７と、主動プーリ２５と、従動プーリ２２と、上軸２１と、主動ギヤ２０と、伝動ギヤ１９と、従動ギヤ１７と、転１８とにより貨物ローラー１６を連動させて回転させ、貨物チャンバ１３の中の貨物を貨物チャンバ１３の一番右側まで送り、作業員の荷下ろしに便利を与える。
【００１９】
本発明の有益効果は：本発明は構成が簡単で、操作が便利で、メインテナンスが便利で、該設備が貨物を自動的にコンテナの右端まで輸送し、人が運ぶ必要がなく、労働の強度を下げ、且つ貨物の積み下ろしの効率を上げ、そのため、該設備は比較的に高い使用価値と普及価値を有する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。